(57)【要約】【課題】押さえの先端部及び基端部においても、布を押さえつけることができると共に、縫製不良の発生を抑えること。【解決手段】ミシンの布押さえ装置１は、押さえ棒と、押さえ足２と、布送り方向Ａに沿った長手方向の中央近傍で押さえ足に回動自在に連結される押さえ３と、連結部３１よりも布送り方向上流側で押さえに回動自在に連結されるとともに、連結部４１よりも布送り方向下流側に布を押さえる布押さえ部４２を有する補助押さえ４と、を備え、押さえ足に装着され、その一端側が布押さえ部を下方に付勢する前押さえバネ５を設け、前押さえバネの補助押さえに対する加重点４３を、補助押さえと押さえとの連結部よりも布送り方向下流側とした。【選択図】図１
2009022352.tif 000002
【特許請求の範囲】
【請求項１】
ミシン機枠に上下動可能に支持され、下方に向けて付勢される押さえ棒と、
前記押さえ棒の先端側に固定される押さえ足と、
布送り方向に沿った長手方向の中央近傍で前記押さえ足に回動自在に連結される押さえと、
前記押さえ足と前記押さえの連結部よりも布送り方向上流側で前記押さえに回動自在に連結されるとともに、前記押さえとの連結部よりも布送り方向下流側に布を押さえる布押さえ部を有する補助押さえと、
を備えるミシンの布押さえ装置において、
前記押さえ足に装着され、その一端側が前記布押さえ部を下方に付勢する前押さえバネを設け、
前記前押さえバネの前記補助押さえに対する加重点を、前記補助押さえと前記押さえとの連結部よりも布送り方向下流側としたことを特徴とするミシンの布押さえ装置。
【発明の詳細な説明】
【技術分野】
【０００１】
本発明は、ミシンの布押さえ装置に関する。
【背景技術】
【０００２】
ミシンには、ミシンテーブル上に載置された布を押さえる布押さえ装置が設けられている。布押さえ装置には、ミシンの上下方向に沿うように上下動自在とされた押さえ棒が備えられている。押さえ棒には、布の押圧力を調節する押さえ調節バネが通されている。
押さえ棒の下端には、押さえ足が固定されている。押さえ足には、布を上方から押さえる押さえが回動自在に連結されている。押さえは、針板及び送り歯の上方に配置され、布に下向きの押圧力（押さえ圧）を加えて布を押えるものである。
押さえ足には、押さえの先端を上方から押さえつける前押さえバネが設けられている（例えば、特許文献１参照。）。このように前押さえバネを設けるのは、押さえ棒からの押圧力は、押さえの基端部には伝達されやすいが、押さえの先端部には伝達されにくいため、布の押圧力が弱くなるからである。
このような布押さえ装置により布を押さえる場合、押さえ棒を下降させると、押さえ足が押さえ棒に押圧され、この押さえ足に設けられた押さえにも押圧力が伝達される。押さえの基端部は、押さえ足に連結されていることから、押さえ足から押圧力が伝達され布を押さえつける。押さえの先端部は、前押さえバネに押さえられていることから、押さえ足にかかる押圧力が前押さえバネを介して伝達され布を押さえつける。その結果、押さえは、その基端部からも先端部からも布を押さえることができる。
【特許文献１】特許第３８６６０９６号公報
【発明の開示】
【発明が解決しようとする課題】
【０００３】
上記のような布押さえ装置においては、前押さえバネは押さえ自体を直接押さえて押さえ先端の布の押圧力を確保していた。しかし、押さえの先端部は布の段部等を乗り上げることも考慮すると、布が動かない程度の押圧力が必要であるものの、布の段部の通過を遮らない程度の力で押圧することが必要である。そのため、布に対する押圧力を上げた時、布の段部等が押さえに引っ掛かって縫製不良が発生するという問題があった。
一方、縫製不良の発生を考慮し、押さえの先端部の押圧力に合わせて押さえを押圧すると、押さえによる布の押圧力（特に押さえの基端部側）が低下し、布を確実に押さえることができなくなるという問題があった。
【０００４】
そこで、本発明は、上記課題を解決するためになされたものであり、押さえの先端部及び基端部においても、布を押さえつけることができると共に、縫製不良の発生を抑えることができるミシンの布押さえ装置を提供することを目的とする。
【課題を解決するための手段】
【０００５】
請求項１に記載の発明は、
ミシン機枠に上下動可能に支持され、下方に向けて付勢される押さえ棒と、
前記押さえ棒の先端側に固定される押さえ足と、
布送り方向に沿った長手方向の中央近傍で前記押さえ足に回動自在に連結される押さえと、
前記押さえ足と前記押さえの連結部よりも布送り方向上流側で前記押さえに回動自在に連結されるとともに、前記押さえとの連結部よりも布送り方向下流側に布を押さえる布押さえ部を有する補助押さえと、
を備えるミシンの布押さえ装置において、
前記押さえ足に装着され、その一端側が前記布押さえ部を下方に付勢する前押さえバネを設け、
前記前押さえバネの前記補助押さえに対する加重点を、前記補助押さえと前記押さえとの連結部よりも布送り方向下流側としたことを特徴とする。
【０００６】
請求項１に記載の発明によれば、押さえ棒から押さえ足に押圧力が作用すると、押さえ足に装着された前押さえバネにもその押圧力が作用する。そして、前押さえバネは、補助押さえを下方に向けて押す。
このとき、前押さえバネの補助押さえに対する加重点を、補助押さえと押さえとの連結部よりも布送り方向下流側としているため、前押さえバネが押さえを直接押さえる場合に比べて小さい力で布押さえの先端を持ち上げることができる。
すなわち、加重点を布押さえ部側に寄せることで、押さえを引き上げる際には、前押さえバネが補助押さえを押す加重点を補助押さえと押さえとの連結部よりも布送り方向下流としているため、押さえには押さえ先端を持ち上げるモーメントが発生し、押さえ先端を少ない力で持ち上げることができる。
一方、補助押さえと押さえの底面が全面で押さえている状態になれば、補助押さえ部は前押さえバネからの押圧をそのまま受ける。
また、第２の補助押さえを設けることにより、押さえ棒から押さえ足に押圧力が作用すると、押さえと同様に第２の補助押さえにもその押圧力が作用する。そして、第２の補助押さえと押さえとの連結部を回動支点として押さえが回転するので、押さえ先端にかかる押圧力が軽減される。一方で、第２の補助押さえにより、押さえの基端部側における布の押圧力は十分に確保されるので、押さえの先端部には、押さえの基端部ほどの大きな押圧力は作用しない。
これにより、押さえ棒から伝達される布への押圧力が増加しても、押さえの先端側にはその押圧力が減った状態で作用することになる。
よって、押さえの先端部及び基端部においても、布を押さえつけることができると共に、縫製不良の発生を抑えることができる。
【発明の効果】
【０００７】
本発明によれば、押さえ棒から伝達される布への押圧力が増加しても、押さえの先端側にはその押圧力が減った状態で作用することになる。
よって、押さえの先端部及び基端部においても、布を押さえつけることができると共に、縫製不良の発生を抑えることができる。
【発明を実施するための最良の形態】
【０００８】
以下、図面を参照して、本発明に係るミシンの布押さえ装置の最良の形態について詳細に説明する。
＜ミシンの布押さえ装置の構成＞
図１、図２、図３に示すように、ミシンの布押さえ装置１（以下、布押さえ装置１という。）は、ミシンの縫い針Ｎの下方に設けられている。布押さえ装置１は、ミシン機枠に上下動可能に支持され、下方に向けて付勢される押さえ棒（図示略）と、押さえ棒の先端側に固定される押さえ足２と、布送り方向に沿った長手方向の中央近傍で押さえ足２に回動自在に連結される押さえ３と、押さえ足２と押さえ３の連結部３１よりも布送り方向上流側で押さえ３に回動自在に連結されるとともに、押さえ３との連結部４１よりも布送り方向下流側に布を押さえる布押さえ部４２を有する補助押さえ４と、押さえ足２に装着され、その一端側が補助押さえ４の布押さえ部４２を下方に付勢する前押さえバネ５と、押さえ３と押さえ足２との連結部３１よりも布送り方向下流側で押さえ３に回動自在に連結される第２の補助押さえ６と、を備えている。
【０００９】
押さえ足２は、押さえ棒の下端にネジ止め等により固定されている。押さえ足２の下端部には、押さえ３と連結するためのフック２１が設けられており、押さえ足２と押さえ３の連結部としてのヒンジ部３１にフック２１を引っ掛けることで押さえ３が回動自在に連結される。
押さえ３は、下面が平面状に形成されており、縫製時に布がずれないように押さえつけると共に、ミシンテーブルから突出する送り歯１０とで布を狭持して布を布送り方向（図１に示すＡ方向）に送る。押さえ３は、布送り方向Ａに沿った長手方向の中央近傍で押さえ足２に連結されているが、押さえ足２は押さえ３の基端側に傾斜しており、押さえ棒による押圧力は押さえ３の基端部に作用するように押さえ棒に取り付けられている。押さえ３の先端部は、上方に湾曲するように形成されており、布を送る際に布の段部が押さえ３の先端部に引っ掛からないように形成されている。
補助押さえ４は、押さえ３の先端部側に回動自在に連結されている。補助押さえ４は、その長手方向の中央部近傍でヒンジ構造からなるヒンジ部４１により連結されている。
補助押さえ４の一端部は、押さえ３の先端部の湾曲部分に沿うように配置され、他端部は、押さえ３の中央に形成された貫通孔から下方に突出するように配置されている。ここで、補助押さえ４の一端部は、布を押さえつける布押さえ部４２として機能する。
【００１０】
前押さえバネ５は、針金状に形成された弾性力のあるバネ材であり、一端が押さえ足２に取り付けられている。前押さえバネ５の他端は、押さえ３の先端側に延びるように形成され、その他端部が補助押さえ４におけるヒンジ部４１と布押さえ部４２との間の位置で補助押さえ４に接するように配置されている。すなわち、前押さえバネ５は、その他端でヒンジ部４１と布押さえ部４２との間の位置で補助押さえ４を押さえつける（前押さえバネ５の補助押さえ４に対する加重点４３を、補助押さえ４と押さえ３との連結部であるヒンジ部４１よりも布送り方向Ａの下流側とした）ように設けられている。これにより、押さえ棒からの押圧力は押さえ足２、前押さえバネ５を介して補助押さえ４に伝達され、補助押さえ４のヒンジ部４１を中心とする回動により布押さえ部４２が布を押さえつける。
【００１１】
第２の補助押さえ６は、その下面が押さえ足２と押さえ３の連結部であるヒンジ部３１の布送り方向の前後両側に形成されており、連結部であるヒンジ部３１よりも布送り方向下流側に位置するヒンジ部６１を介して押さえ３に連結される。
第２の補助押さえ６は、ヒンジ部６１を中心に回動自在に取り付けられており、その底面が押さえ３と同一面を形成する時に、押さえ３と突き当てになり、その位置からヒンジ部６１を中心に回動して布送り方向上流側が押さえ３の下面よりも下方へ一定量突出できる構成となっている。そして、押さえ棒から押圧力が作用した際にその押圧力が押さえ３を介して布に伝達される箇所となっている。
【００１２】
＜布押さえ装置の動作＞
次に、図４、図５、図６を用いて、布押さえ装置１の動作について説明する。
図４に示すように、押さえ棒による布の押圧力を大きくする、すなわち、押さえ棒を付勢するバネの弾性力により押さえ棒から押さえ足２に押圧力Ｆが作用すると、その押圧力Ｆはヒンジ部３１を介して押さえ３に伝達される。押さえ３には、第２の補助押さえ６が設けられているため、押さえ３の基端部側が先端部よりも先に布を押さえつける。
ここで、図４に示すように、第２の補助押さえ６が布に接触した状態におけるヒンジ部３１から第２の補助押さえ６のヒンジ部６１までの水平方向に沿った距離をＬ１、第２の補助押さえ６のヒンジ部６１から押さえ３の先端部までの距離をＬ２、ヒンジ部４１から加重点４３までの水平方向に沿った距離をＬ３、ヒンジ部４１から布押さえ部４２までの水平方向に沿った距離をＬ４とする。
【００１３】
この場合において、Ｆ×Ｌ１＝Ｌ２×Ｆ１（押さえ３の先端部の押圧力）となるので、押さえ３の先端部には、Ｆ１＝Ｌ１／Ｌ２×Ｆの押圧力がかかる。このように、前押さえバネ５がなければ、押さえ３の先端部には基端部に比べて大きな押圧力がかからない。ここで、前押さえバネ５に押さえ足２から押圧力ｆが作用しているとすると、ｆ（Ｌ４−Ｌ３）＝Ｌ４×ｆ１（ヒンジ部４１の押圧力）となるので、ヒンジ部４１には、補助押さえ４を介してヒンジ部３１からｆ１＝｛（Ｌ４−Ｌ３）／Ｌ４｝×ｆの押圧力がかかる。これにより、前押さえバネ５により押さえ３の先端側だけに｛（Ｌ４−Ｌ３）／Ｌ４｝×ｆの押圧力がかかるので、押さえ３の先端部には、（Ｌ１／Ｌ２×Ｆ）＋｛（Ｌ４−Ｌ３）／Ｌ４｝×ｆの押圧力がかかる。よって、押さえ棒からの押圧力を増加させなくとも押さえ３の先端部における押圧力の不足を補うことができる。
そして、図５に示すように、補助押さえ４が完全に倒れた状態、すなわち、押さえ３の全面で布を押さえている状態になれば、前押さえバネ５からの押圧力ｆは補助押さえ４全体にかかり、押さえ３の先端部には、（Ｌ１／Ｌ２×Ｆ）＋ｆの押圧力がかかる。
【００１４】
一方、図６に示すように、布の段部が押さえ３の下方に送られた場合、押さえ３には先端部を上方に引き上げる力Ｍがかかる。
ここで、図６に示すように、ヒンジ部４１から加重点４３までの水平方向に沿った距離をＬ５、ヒンジ部４１から布押さえ部４２までの水平方向に沿った距離をＬ６とする。また、布押さえ部４２からヒンジ部６１までの距離をＬ７とする。
この場合において、補助押さえ４に押さえ３から引き上げ力ｍが作用しているとすると、補助押さえ４を加重する前押さえバネ５により、Ｌ５×ｆ＝Ｌ６×αとなり、α＝Ｌ５／Ｌ６×ｆとなる。ここで、モーメントＭは、Ｍ＝α×Ｌ７＝Ｌ５×Ｌ７／Ｌ６×ｆとなるので、この（Ｌ５×Ｌ７）／Ｌ６×ｆの押さえ３の先端を持ち上げるモーメントＭが前押さえバネ５により発生する。その結果、前押さえバネ５の押圧力よりも少ない力で押さえ３を持ち上げることができる。
【００１５】
＜作用・効果＞
以上のようなミシンの布押さえ装置１によれば、押さえ棒から押さえ足２に押圧力が作用すると、押さえ足２に装着された前押さえバネ５にもその押圧力が作用する。そして、前押さえバネ５は、補助押さえ４を下方に向けて押す。
このとき、前押さえバネ５の補助押さえ４に対する加重点を、ヒンジ部４１よりも布送り方向下流側としているため、前押さえバネ５が押さえ３を直接押さえる場合に比べて小さい力で押さえ３の先端を持ち上げることができる。
すなわち、押さえ３の全面で布を押さえている状態になれば、前押さえバネ５からの押圧力ｆは、補助押さえ４全体にかかり、押さえ３の先端部には（Ｌ１／Ｌ２）×Ｆ＋ｆの押圧力がかかる。
一方、押さえ３を引き上げる際には、前押さえバネ５により押さえ３先端を持ち上げるモーメント（Ｌ５×Ｌ７／Ｌ６）×ｆが発生するので、弱い力で押さえ３の先端を持ち上げることができる。
【００１６】
また、第２の補助押さえ６を設けることにより、押さえ棒から押さえ足２に押圧力が作用すると、押さえ３を介して第２の補助押さえ６にその押圧力が作用する。そして、ヒンジ部６１を回動支点として押さえ３が回転するので、押さえ３の先端にかかる押圧力が軽減される。一方で、第２の補助押さえ６により、押さえ３の基端部側における布の押圧力は十分に確保される。また、押さえ３の先端部には、押さえ３の基端部ほどの大きな押圧力は作用しない。
これにより、押さえ棒から伝達される布への押圧力が増加しても、押さえ３の先端側にはその押圧力が減った状態で作用することになる。
よって、押さえ３の先端部及び基端部においても、布を押さえつけることができると共に、押さえ３の先端部が少ない力で持ち上がるため、縫製不良の発生を抑えることができる。
【図面の簡単な説明】
【００１７】
【図１】ミシンの布押さえ装置の斜視図。
【図２】ミシンの布押さえ装置の平面図。
【図３】ミシンの布押さえ装置の側面図。
【図４】補助押さえにかかる押圧力を説明する模式図。
【図５】補助押さえにかかる押圧力を説明する模式図。
【図６】前押さえバネにかかる引き上げ力を説明する模式図。
【符号の説明】
【００１８】
１  ミシンの布押さえ装置
２  押さえ足
３  押さえ
４  補助押さえ
５  前押さえバネ
６  第２の補助押さえ
３１  ヒンジ部（連結部）
４１  ヒンジ部（連結部）
４２  布押さえ部
４３  加重点
Ａ  布送り方向
【図１】
2009022352.tif 000003
【図２】
2009022352.tif 000004
【図３】
2009022352.tif 000005
【図４】
2009022352.tif 000006
【図５】
2009022352.tif 000007
【図６】
2009022352.tif 000008